(57)【要約】【課題】アパーチャ部材を本体に取り付ける際に、アパーチャ部材の光の通過口の中心位置を容易に発光部の光軸上に位置させることができるようにする。【解決手段】アパーチャ部材１５は、本体２に設けられた受け部２２に取り付けられるものであると共に、弧状の形状に形成された下面部１５ａを有するものであり、本体２の受け部２２は、アパーチャ部材１５の下面部１５ａが接触するように、アパーチャ部材１５の下面部１５ａの弧状の形状に対応する形状に形成された底面部２２ａ有するものであり、アパーチャ部材１５の光の通過口１５ｅは、その中心位置１５ｅａが下面部１５ａの弧状の形状の曲率中心位置と略一致するように形成されたものである。【選択図】図３
2014052790.tif 000002
【特許請求の範囲】
【請求項１】
本体と、発光部と、受光部と、検煙部とを備え、煙等の粒子によって前記発光部の光が前記検煙部で散乱することで生じる散乱光を前記受光部が受光することにより煙等を検知するように構成された煙感知器であって、前記受光部の光を絞るためのアパーチャ部材を更に備えた煙感知器において、
前記アパーチャ部材は、前記本体に設けられた受け部に取り付けられるものであると共に、弧状の形状に形成された下面部を有するものであり、
前記本体の受け部は、前記アパーチャ部材の下面部が接触するように、前記アパーチャ部材の下面部の弧状の形状に対応する形状に形成された底面部を有するものであり、
前記アパーチャ部材の光の通過口は、その中心位置が前記下面部の弧状の形状の曲率中心位置と略一致するように形成されたものであることを特徴とする煙感知器である。
【請求項２】
前記本体の受け部の底面部は、前記アパーチャ部材の下面部の弧状の形状の曲率半径と略同一の曲率半径の弧状に形成されたものであることを特徴とする請求項１に記載の煙感知器。
【請求項３】
前記アパーチャ部材は、左右非対称の形状に形成された左右外側面部を更に有するものであり、
前記本体の受け部は、前記アパーチャ部材の左右外側面部の少なくとも一方が接触するように形成された左右内側面部を更に有するものであることを特徴とする請求項１又は２に記載の煙感知器。
【請求項４】
前記アパーチャ部材の左右外側面部は、何れも上下方向に沿って延在する直線状の形状でありつつ、互いの上下方向の長さに長短の違いがある形状に形成されたものであることを特徴とする請求項３に記載の煙感知器。
【請求項５】
前記アパーチャ部材の左右外側面部は、一方が上下方向に沿って延在する直線状の形状であり、他方が前記下面部の弧状の形状に連続する弧状の形状に形成されたものであることを特徴とする請求項３に記載の煙感知器。
【請求項６】
前記本体に取り付けられる蓋体を更に備え、前記蓋体には、前記アパーチャ部材を上方から押さえる押さえ部が設けられており、前記押さえ部は、アパーチャ部材の上面部に当接し、アパーチャ部材を上方から押さえる当接部と、アパーチャ部材の前後方向に傾斜し、前記当接部に至る斜面部とを有するものであることを特徴とする請求項１乃至５の何れかに記載の煙感知器。
【請求項７】
前記アパーチャ部材が前記本体の受け部に前後が正方向とは逆に取り付けられていると、前記蓋体を前記本体に所定通りには取り付けることができないように構成されていることを特徴とする請求項６に記載の煙感知器。
【発明の詳細な説明】
【技術分野】
【０００１】
この発明は、空気中に浮遊する煙や汚染物質等を光学的に検知することができる煙感知器に関するものである。
【背景技術】
【０００２】
従来、火災予防や火災消火のために煙を検知するものとして、或いは、半導体製造工場や食品工場等（所謂クリーンルーム等）における環境保全のために汚染物質（埃等）を検知するものとして、煙感知器が用いられている。
【０００３】
煙感知器には種々のものがあるが、空気中に含まれる煙や汚染物質（以下「煙等」という）を光学的に検知する光学式のものがある。
【０００４】
光学式の煙感知器は、煙等の粒子によって発光部からの光が散乱することにより検煙部で生じる散乱光を受光部が受光することで煙等を検知することができるようになっている。
【０００５】
光学式の煙感知器には、発光部の光の透光領域の大きさを制御したり、或いは迷光（回析光）の発生を防いだりするために、発光部の光が通過するアパーチャが設けられているが、一般に、そのアパーチャは、煙感知器のケースの本体と一体に形成されたものとなっている（例えば、特許文献１の段落００１４及び図１乃至図３等参照。）。
【先行技術文献】
【特許文献】
【０００６】
【特許文献１】特開平１１−２４８６２９号公報
【発明の概要】
【発明が解決しようとする課題】
【０００７】
この種の煙感知器において、アパーチャは、回析光の発生を防ぐという点では、通過する光との接触面積が少ない厚みの薄いものの方が好ましいことから、アパーチャの厚みを薄くすることが考えられる。
【０００８】
アパーチャの厚みを薄くする場合、単に薄くするだけでは、強度を不足させてしまう可能性があるので、アパーチャと本体とを一体に形成することはできなくはなるものの、アパーチャ部材に鉄板等の硬い別材料を用いることが考えられる。
【０００９】
尚、この種の煙感知器の場合、発光部の光源としてはＬＥＤやレーザーを用いることができるが（例えば、特許文献１の段落００１２参照。）、レーザーを用いた方が、その光の指向性がＬＥＤのものに比べて高く、回析光の発生を防ぐという点では、アパーチャを薄くすることによるメリットは大きいといえる。
【００１０】
しかしながら、アパーチャ部材に鉄板等の別材料を用いるとなると、アパーチャ部材の本体への取り付け作業が必要であり、その際、アパーチャ部材の光の通過口の中心位置を発光部の光軸上に位置させる作業が必要である。
【００１１】
又、アパーチャ部材を鉄板等から形成するには光の通過口を形成するのに穴あけ加工をすることになるが、その加工方法によっては前後方向の一方の面側の光の通過口の口縁部分にバリ等が残ってしまうことがあり、加工上バリ等が残り易い面側を発光部側に向けてアパーチャ部材を本体に取り付けてしまうと、バリ等が残っていれば、そのバリ等が回析光発生の原因となってしまう可能性がある。
【００１２】
つまり、アパーチャ部材に鉄板等の別材料を用いる場合、アパーチャ部材の本体への組み付けに際し、アパーチャ部材の光の通過口の中心位置を光軸上に位置させる必要があるだけでなく、アパーチャ部材に向けるべき前後の正方向の向き（バリ等残り難い面側を前面側とし、バリ等が残り易い面側を後面側とすれば、前面側が発光部側に向かい、後面側が発光部側に向かない向き）があることとなる。
【００１３】
この発明は、前記の事情に鑑み、煙感知器において、アパーチャ部材を本体に取り付ける際に、アパーチャ部材の光の通過口の中心位置を容易に発光部の光軸上に位置させることができるようにすることを目的とし、又、アパーチャ部材の前後の向きを容易に正方向に向かわせることができるようにすることを目的とする。
【課題を解決するための手段】
【００１４】
この発明は、本体と、発光部と、受光部と、検煙部とを備え、煙等の粒子によって前記発光部の光が前記検煙部で散乱することで生じる散乱光を前記受光部が受光することにより煙等を検知するように構成された煙感知器であって、前記受光部の光を絞るためのアパーチャ部材を更に備えた煙感知器において、前記アパーチャ部材は、前記本体に設けられた受け部に取り付けられるものであると共に、弧状の形状に形成された下面部を有するものであり、前記本体の受け部は、前記アパーチャ部材の下面部が接触するように、前記アパーチャ部材の下面部の弧状の形状に対応する形状に形成された底面部を有するものであり、前記アパーチャ部材の光の通過口は、その中心位置が前記下面部の弧状の形状の曲率中心位置と略一致するように形成されたものであることを特徴とする煙感知器である。
【００１５】
又、この発明は、前記本体の受け部の底面部は、前記アパーチャ部材の下面部の弧状の形状の曲率半径と略同一の曲率半径の弧状に形成されたものであることを特徴とする煙感知器である。
【００１６】
又、この発明は、前記アパーチャ部材は、左右非対称の形状に形成された左右外側面部を更に有するものであり、前記本体の受け部は、前記アパーチャ部材の左右外側面部の少なくとも一方が接触するように形成された左右内側面部を更に有するものであることを特徴とする煙感知器である。
【００１７】
又、この発明は、前記アパーチャ部材の左右外側面部は、何れも上下方向に沿って延在する直線状の形状でありつつ、互いの上下方向の長さに長短の違いがある形状に形成されたものであることを特徴とする煙感知器である。
【００１８】
又、この発明は、前記アパーチャ部材の左右外側面部は、一方が上下方向に沿って延在する直線状の形状であり、他方が前記下面部の弧状の形状に連続する弧状の形状に形成されたものであることを特徴とする煙感知器である。
【００１９】
又、この発明は、前記本体に取り付けられる蓋体を更に備え、前記蓋体には、前記アパーチャ部材を上方から押さえる押さえ部が設けられており、前記押さえ部は、アパーチャ部材の上面部に当接し、アパーチャ部材を上方から押さえる当接部と、アパーチャ部材の前後方向に傾斜し、前記当接部に至る斜面部とを有するものであることを特徴とする煙感知器である。
【００２０】
又、この発明は、前記アパーチャ部材が前記本体の受け部に前後が正方向とは逆に取り付けられていると、前記蓋体を前記本体に所定通りには取り付けることができないように構成されていることを特徴とする煙感知器である。
【発明の効果】
【００２１】
この発明においては、アパーチャ部材の光の通過口の中心位置が弧状に形成された下面部の曲率中心位置と略一致するように形成されていることで、アパーチャ部材を本体の受け部に取り付ける際に、アパーチャ部材の下面部を本体の受け部の底面部に接触させることにより、アパーチャ部材の光の通過口の中心位置を容易に所定位置に位置させることができる。
【００２２】
従って、この発明によれば、煙感知器において、アパーチャ部材を本体に取り付ける際に、アパーチャ部材の光の通過口の中心位置を容易に発光部の光軸上に位置させることができる。
【００２３】
又、この発明においては、アパーチャ部材を、左右非対称の形状に形成された左右外側面部を更に有するものとすると共に、本体の受け部を、アパーチャ部材の左右外側面部の少なくとも一方が接触するように形成された左右内側面部を更に有するものとすることで、アパーチャ部材を本体に取り付ける際に、アパーチャ部材と本体の受け部との接触関係から、アパーチャ部材の向けるべき上下左右の向きを容易に把握することができる。
【００２４】
従って、この発明によれば、煙感知器において、アパーチャ部材を本体に取り付ける際に、アパーチャ部材の前後の向きを容易に正方向に向かわせることができる。
【図面の簡単な説明】
【００２５】
【図１】この発明の実施形態の一例を示し、構成の概要を示した構成図である。
【図２】同上を示し、本体側の平面図である。
【図３】同上を示し、本体側の斜視図である。
【図４】同上を示し、アパーチャ部材が取り付けられていない状態における本体側の他の角度の斜視図である。
【図５】同上を示し、本体に蓋体が取り付けられている状態における図２のＡ−Ａ線Ａ５矢視断面に相当する断面図である。
【図６】同上を示し、本体に蓋体が取り付けられている状態における図２のＡ−Ａ線Ａ６矢視断面に相当する断面図である。
【図７】同上を示し、アパーチャ部材の拡大図である。
【図８】同上を示し、本体のアパーチャ部材取り付け部分の拡大斜視図である。
【図９】同上を示し、アパーチャ部材が前後（表裏）逆に取り付けられている状態における図２のＢ−Ｂ線Ｂ９矢視断面図である。
【図１０】同上を示し、アパーチャ部材が前後（表裏）逆に取り付けられている状態における図２のＡ−Ａ線Ａ１０矢視断面図である。
【発明を実施するための形態】
【００２６】
この発明の実施形態の一例を図１乃至図１０に基いて説明する。
【００２７】
先ず、図１に基いて、この発明の実施形態の一例である煙感知器１の機器構成全体の概要について説明する。
【００２８】
図１に示したように、煙感知器１は、本体２において、暗箱となる煙検出ユニット２ａ内に、レーザ等の発光素子６ａを有する発光部６と、フォトダイオード等の受光素子７ａを有すると共に、その受光素子７ａに発光部６からの光ＬＢが直接は入射しないように配置された受光部７と、発光部６の発光素子６ａの光軸と受光部７の受光素子７ａの光軸とが交差する位置を含む領域に形成される検煙部１２とを備え、煙検出ユニット２ａ内でサンプリングエアＳＡが検煙部１２を通過する際に光学的な煙等の検知がされるようになっており、即ち、サンプリングエアＳＡ中に煙等が含まれていれば、検煙部１２を通過する際に、煙等の粒子によって発光部６の発光素子６ａからの光ＬＢが検煙部１２で散乱することで生じる散乱光を受光部７の受光素子７ａが受光することにより煙等の検知がされるようになっている。
【００２９】
又、同図に示したように、煙感知器１は、監視区域に敷設される配管から流入路４を介して流入する空気ＡをサンプリングエアＳＡとして導入路５を介して前記の煙検出ユニット２ａ内に送るためのファン３や、発光部６の発光素子６ａ及び受光部７の受光素子７ａ等の電源が必要な部品（エアフローセンサ２１を含む）に接続された電源部８や、受光部６の受光素子６ａ等の部品に接続され、種々の制御をする制御部９や、発光部６とは検煙部１２を介して対向する側に位置し、検煙部１２を通過した発光部６の発光素子６ａからの光ＬＢが検煙部１２側に戻らないように遮光するための遮光部１３であって、光ＬＢを内部に通過させる通過口１６ａが形成された遮光壁１６を前部に有すると共に、内部に入った光ＬＢを迷光にして減衰させる光トラップ１４を後部に有する遮光部１３等も備えている。
【００３０】
尚、煙感知器１は、本実施形態においては、導入路５がファン３の二次側から流路分岐部１７で分岐し、煙検出ユニット２ａからサンプリングエアＳＡを還流させる還流路１８がファン３の二次側の流路合流部１９で合流し、流路合流部１９と流路分岐部１７との間に生じる差圧（流路合流部１９における流速を流路分岐部１７における流速よりも速いものとすることによって両者間に差圧を生じさせることができ、例えば、流路合流部１９をファン３の回転翼の周縁に近い位置に設け、流路分岐部１７をその回転翼の周縁から遠い位置に設けることによって両者間に差圧を生じさせることができる。）によって、サンプリングエアＳＡを導入路５からフィルタ２０で濾過した上で煙検出ユニット２ａを通過させ、還流路１８からファン３の二次側に還流させるタイプのものとなっている。
【００３１】
そして、煙感知器１は、発光部６の前方に位置し、発光部６の発光素子６ａからの光ＬＢを絞って検煙部１２側に向けて通過させるアパーチャ部材１５を本体２の煙検出ユニット２ａ内に更に備えているが、このアパーチャ部材１５の詳細については後記で図２乃至図１０に基いて説明する。
【００３２】
尚、図１に示した煙感知器１において、１０は、発光部６の発光素子６ａの直前に位置し、発光素子６ａからの光を集めるための集光レンズであり、又、１１は、受光部７の受光素子７ａの直前に位置し、受光素子７ａへの光を集めるための集光レンズであるが、これら集光レンズ１０及び同１１は、図２乃至図１０に示した煙感知器１においては、それぞれ発光部６及び受光部７の内部に設けられたものとなっている。
【００３３】
次に、図２乃至図１０に基いて、煙感知器１の機器構成の詳細について説明する。
【００３４】
煙感知器１は、前記の通り、本体２、発光部６、受光部７及び検煙部１２等を備え、煙等の粒子によって発光部６（具体的には、図１に示したようにその発光素子６ａである。）が検煙部１２で散乱することで生じる散乱光を受光部７（具体的には、図１に示したようにその受光素子７ａである。）が受光することにより煙等を検知するように構成されている。
【００３５】
この煙感知器１において、本体２は、図２乃至図６に示したように、上部が開放された箱状をなすものであると共に、図５及び図６に示したように、上部に蓋体２ｂが取り付けられて暗箱をなすものであり、内部に前記の発光部６、受光部７及び検煙部１２等が設けられて煙検出ユニット２ａを構成するものである。
【００３６】
そして、煙感知器１は、前記の通り、発光部６の前方に位置し、発光部６の発光素子６ａからの光ＬＢを絞って検煙部１２側に向けて通過させるアパーチャ部材１５を本体２の煙検出ユニット２ａ内に更に備えている。
【００３７】
煙感知器１において、アパーチャ部材１５は、鉄板等の硬い別材料から薄く形成されたものとなっており、本体２に設けられている受け部２２に別部材として取り付けられるものとなっている。
【００３８】
具体的には、前記のアパーチャ部材１５は、弧状の形状に形成された下面部１５ａと、左右非対称の形状に形成された左右外側面部１５ｂ，１５ｃとを有しており、又、前記の本体２の受け部２２は、アパーチャ部材１５の下面部１５ａが接触するように、その下面部１５ａの弧状の形状に対応する形状に形成された底面部２２ａと、アパーチャ部材１５の左右外側面部１５ｂ，１５ｃが接触するように、その左右外側面部１５ｂ，１５ｃの左右非対称の形状に対応する形状に形成された左右内側面部２２ｂ，２２ｃとを有している。
【００３９】
煙感知器１は、アパーチャ部材１５と本体２の受け部２２が前記のように構成されていることで、アパーチャ部材１５を本体２の受け部２２に取り付ける際に、アパーチャ部材１５の下面部１５ａを本体２の受け部２２の底面部２２ａに接触させると共に、アパーチャ部材１５の左右外側面部１５ｂ，１５ｃが本体２の受け部２２の左右内側面部２２ｂ，２２ｃに接触させることにより、アパーチャ部材１５の上下左右方向の位置を所定通りに容易に位置させることが可能である。
【００４０】
ここで、煙感知器１においては、前記の通り、アパーチャ部材１５の下面部１５ａが弧状の形状に形成されていると共に、本体２の受け部２２の底面部２２ａがアパーチャ部材１５の下面部１５ａの弧状の形状に対応する形状に形成されており、又、アパーチャ部材１５の左右外側面部１５ｂ，１５ｃが左右非対称の形状に形成さていていると共に、本体２の受け部２２の左右内側面部２２ｂ，２２ｃがアパーチャ部材１５の左右外側面部１５ｂ，１５ｃの左右非対称の形状に対応する形状に形成されているが、そのようになっていることで、アパーチャ部材１５を本体２の受け部２２に取り付ける際に、アパーチャ部材１５の形状と本体２の受け部２２の形状との対応関係から、具体的には、アパーチャ部材１５の下面部１５ａ及び左右外側面部１５ｂ，１５ｃと本体２の受け部２２の底面部２２ａ及び左右内側面部２２ｂ，２２ｃとの形状の対応関係から、アパーチャ部材１５の向けるべき上下左右の向きを容易に把握することが可能であり、即ち、アパーチャ部材１５の向けるべき前後の向きを容易に把握することが可能であり、アパーチャ部材１５の向けるべき前後の向きに容易に向かわせることが可能である。
【００４１】
尚、煙感知器１において、アパーチャ部材１５は、光の通過口１５ｅの加工の際、加工方法によっては前後方向の一方の面側には通過口１５ｅの口縁部分にバリ等が残ってしまうことがあるが、前記のように受け部２２との形状の対応関係から把握される向けるべき前後の向きが、正方向の向き、即ち、バリ等の残り難い面側が前面１５ｆとして発光部６側に向かい、バリ等の残り易い面側をが後面１５ｇとして発光部６側に向かわない向きとなるようになっている。
【００４２】
更に、本実施形態のアパーチャ部材１５と本体２の受け部２２について詳細に説明する。
【００４３】
アパーチャ部材１５において、左右非対称の形状に形成された左右外側面部１５ｂ，１５ｃは、図７の正面視の拡大図から詳細が容易に理解されるように、底面部１５ａの左右上端部にそれぞれ連続し、双方とも上下方向に沿って平行に延在する直線状の形状に形成されてはいるが、互いの上下方向の長さＬ１，Ｌ２に長短の違いがある形状に形成されたものとなっており（左外側面部１５ｂの長さＬ１が短く、右側面部１５ｃの長さＬ２が長い。）、それにより左右非対称の形状をなすものとして形成されてたものとなっており、又、上面部１５ｄは、左右外側面部１５ｂ，１５ｃのそれぞれの上端部と丸め加工された角部を介して連続し、幅方向に沿って平行に延在する直線状の形状に形成されたものとなっている。
【００４４】
そして、アパーチャ部材１５において、光の通過口１５ｅは、その中心位置１５ｅａが、アパーチャ部材１５の上下左右の中心位置からは偏心してはいるものの、下面部１５ａの曲率中心位置とは一致するように形成されたものとなっている。
【００４５】
ここで、煙感知器１においては、前記の通り、アパーチャ部材１５の光の通過口１５ｅの中心位置１５ｅａが弧状に形成された下面部１５ａの曲率中心位置と略一致するように形成されていることで、本体２の受け部２２の底面部２２ａが下面部１５ａの弧状の形状に対応する形状に形成されていることと相俟って、アパーチャ部材１５を本体２の受け部２２に取り付ける際に、アパーチャ部材１５の下面部１５ａを本体２の受け部２２の底面部２２ａに接触させることにより、アパーチャ部材１５の光の通過口１５ｅの中心位置１５ｅａを容易に所定位置に位置させることが可能であり、発光部６の光軸ＬＢａ上に位置させることが可能である。
【００４６】
受け部２２は、図８の拡大した斜視図から最も容易に詳細が理解されるように、本体２の底壁上に立設された全体として壁状をなす部分として形成されたものとなっており、底面部２２ａの左右外側に左右側壁部２２ｄ，２２ｅが設けられていて、その内側面に左右内側面部２２ｂ，２２ｃが底面部２２ａの上部に連続するように設けられ、又、アパーチャ部材１５の後面１５ｇ側（発光部６に向かない側）を支持する後壁部２２ｆが幅方向中央位置に設けられ（上部中央に半円形状の切り欠き部が設けられており、アパーチャ部材１５の通過口１５ｅを遮らないようになっている。）、更に、アパーチャ部材１５の前面１５ｆ側（発光部６に向く側）を支持する左右支持柱２２ｇ，２２ｈが左右側壁部２２ｄ，２２ｅよりも若干中央よりにそれぞれ設けられている。
【００４７】
受け部２２において、底面部２２ａは、前記の通り、アパーチャ部材１５の下面部１５ａの弧状の形状に対応する形状に形成されたものとなっているが、本実施形態では、アパーチャ部材の１５の下面部１５ａの弧状の曲率半径と略同一の曲率半径の弧状の形状に形成されたものとなっており、又、その弧長もアパーチャ部材１５の下面部１５ａの弧長と略同一に形成さていて、アパーチャ部材１５が正方向に向いて受け部２２に取り付けられていれば、アパーチャ部材１５の下面部１５ａが周方向の全長に亘って隙間なく接触して着接される形状に形成されたものとなっており、更に、その曲率中心位置が発光部６の光軸ＬＢａ上に位置するように形成されていて、アパーチャ部材１５が正方向に向いて受け部２２に取り付けられていれば、アパーチャ部材１５の下面部１５ａの曲率中心位置と略一致して、アパーチャ部材１５の光の通過口１５ｅの中心位置１５ｅａが自ずと発光部６の光軸ＬＢａ上に位置するように形成されたものとなっている。
【００４８】
更に、受け部２２において、左右内側面部２２ｂ，２２ｃは、前記の通り、アパーチャ部材の左右外側面部１５ｂ，１５ｃの左右非対称の形状に対応する形状に形成されたものとなっているが、本実施形態では、互いの間がアパーチャ部材１５の幅方向の長さと略同一の長さで離間しており、又、アパーチャ部材１５の左右外側面部１５ｂ，１５ｃと同様に、双方とも上下方向に沿って平行に延在する直線状の形状に形成されてはいるものの、互いの上下方向の長さＬ３，Ｌ４に長短の違いのある形状に形成されたものとなっていて（図８参照）、短い長さＬ３側の左内側面部２２ｂがアパーチャ部材１５の短い長さＬ１側の左外側面部１５ｂに対応し、長い長さＬ４側の右内側面部２２ｃがアパーチャ部材１５の長い長さＬ２側の右外側面部１５ｃに対応するものとなっている。
【００４９】
尚、本実施形態において、前記の受け部２２の左右内側面部２２ｂ，２２ｃは、短い側の左内側面部２２ｂの長さＬ３が対応するアパーチャ部材１５の短い側の左外側面部１５ｂの長さＬ１の半分程度の長さで、長い側の内側面部２２ｃの長さＬ４が対応するアパーチャ部材１５の長い側の右外側面部１５ｃの長さＬ２の半分程度の長さとなっており、アパーチャ部材１５が正方向に向いて受け部２２に取り付けられると、アパーチャ部材１５の左右外側面部１５ｂ，１５ｃが長さ方向の下半分程度までそれぞれ隙間なく接触して着接されるものとなっている。
【００５０】
アパーチャ部材１５と本体２の受け部２２は、前記の通り、アパーチャ部材１５が正方向に向いて受け部２２に取り付けられると、アパーチャ部材１５の下面部１５ａ及び左右外側面部１５ｂ，１５ｃが受け部２２の底面部２２ａ及び左右内側面部２２ｂ，２２ｃにそれぞれ隙間なく接触して着接されるようになっているが、アパーチャ部材１５が正方向とは前後逆に向いて受け部２２に取り付けられると、アパーチャ部材１５の下面部１５ａと受け部２２の底面部２２ａとで互いの曲率中心位置が一致せず、図９及び図１０に示したように、両者間には隙間ができ、アパーチャ部材１５が上方に浮いて所定位置から上方に突出するようになっており、それによりアパーチャ部材１５が正方向とは前後逆に向いていることを容易に把握することができるようになっている。
【００５１】
尚、本実施形態において、アパーチャ部材１５の左右外側面部１５ｂ，１５ｃと本体２の受け部２２の左右内側面部２２ｂ，２２ｃとは、アパーチャ部材１５が本体２の受け部２２に取り付けられているときに、前後が正方向であっても、逆方向であっても、左右の両方が接触するものとなっているが、左右の何れか一方のみが接触するものとしてもよく、アパーチャ部材１５が本体２の受け部２２に前後逆方向に取り付けられたときに、左右の何れか一方のみが接触して、前記と同様、アパーチャ部材１５の下面部１５ａと受け部２２の底面部２２ａとの間に隙間ができて、アパーチャ部材１５が上方に浮いて所定位置から上方に突出するようにしてもよい（アパーチャ部材１５が本体２の受け部２２に前後正方向の向きで取り付けられているときでも、左右の何れか一方のみが接触するものとする場合、アパーチャ部材１５が回転してしまう可能性があるが、後記の蓋体２ｂの押さえ部２３のような上方からの押さえ部材を設ければ、所定の角度位置に補正することが可能である。）。
【００５２】
本体２の上部には、図５及び図６に示したように、蓋体２ｂが取り付けらるが、蓋体２ｂには、アパーチャ部材１５を上方から押さえる押さえ部２３が設けられており、本体２の受け部２２に取り付けられるアパーチャ部材１５を上方から押さえて確実に固定することができるようになっている。
【００５３】
押さえ部２３は、具体的には、蓋体２ｂの内面より垂下して設けられ、壁状をなす部分として形成されたものとなっており、アパーチャ部材１５の上面部１５ｄに対向して上方から当接し、アパーチャ部材１５を上方から押さえる当接部２３ａと、アパーチャ部材１５の前後方向に後上がりに傾斜し、その頂部にある当接部２３ａに至る斜面部２３ｂとを有しており、蓋体２ｂを本体２に取り付けることによって、アパーチャ部材１５を上方から押さえることができるようになっており、又、蓋体２ｂを本体２に取り付ける際に、アパーチャ部材１５の上面部１５ｄを斜面部２３ｂ上を当接部２３ａに向けて摺動させて、当接部２３ａに至るようにガイドすることができるようになっている。
【００５４】
尚、押さえ部２３において、２３ｃは、アパーチャ部材１５の後面１５ｇ側から支持する後壁部であり（下端中央位置に半円形の切り欠き部が設けらており、受け部２２の後壁部２２ｆと同様、アパーチャ部材１５の通過口１５ｅを遮らないようになっている。）、又、その前面側の上部に前記の当接部２３ａと斜面部２３ｂが一体に設けられている。
【００５５】
蓋体２ｂには、前記の通り、アパーチャ部材１５の押さえ部２３が設けられており、蓋体２ｂを取り付けることによって、押さえ部２３の当接部２３ａがアパーチャ部材１５の上面部１５ｄに当接して、アパーチャ部材１５を上方から押さえることができるようになっているが、アパーチャ部材１５をその前後を正方向に向けて受け部２２に取り付けている場合には、押さえ部２３の当接部２３ａでアパーチャ部材１５を上方から押さえながら、蓋体２ｂを本体２に完全に取り付けることができるようになっているが（図５及び図６に示した状態）、アパーチャ部材１５の前後を正方向とは逆にして受け部２２に取り付けてしまっている場合には、アパーチャ部材１５が上方に浮いた状態となって、上面部１５ｄの位置が高くなり（図９及び図１０に示した状態）、蓋体２ｂを本体２に完全には取り付けることができないようになっており、アパーチャ部材１５の前後が正方向とは逆であることを容易に把握することができ、そのまま製品として出荷されるのを防ぐことができるようになっている。
【００５６】
最後に、本体２の受け部２２は、本実施形態においては、発光部６の前方の位置に複数、具体的には３つ前後方向に所定間隔を置いて並んで設けられており、アパーチャ部材１５も複数枚、具体的には３枚取り付けられるものとなっている。
【００５７】
尚、アパーチャ部材１５は、１枚のみ取り付けられるものとしてもよいが、複数枚取り付けられるものとすることで、発光部６には向いてない後面側の通過口１５ｅの口縁で発生する可能性のある回析光をアパーチャ部材１５を通過する毎に減衰させることが可能となる（本実施形態のように３枚も取り付けられていれば、回析光を十分に減衰させることができる。）。
【００５８】
以上、この発明の実施形態について詳細に説明したが、この発明は上記の実施形態に限定されるものではなく、この発明の要旨の範囲内で種々の変更等が可能である。
【００５９】
例えば、アパーチャ部材１５の左右外側面部１５ｂ，１５ｃの左右非対称の形状については、円形状の左右何れか一方が切り落とされたような形状としてもよく、具体的には、右外側面部１５ｂ，１５ｃの一方を上下方向に沿って延在する直線状の形状とし、他方を下面部１５ａの弧状の形状に連続し、且つ曲率半径が同一の弧状の形状としてもよい。
【符号の説明】
【００６０】
１：煙感知器  ２：本体  ２ａ：煙検出ユニット  ３：ファン  ４：流入路
５：導入路  ６：発光部  ６ａ：発光素子  ７：受光部  ７ａ：受光素子
８：電源部  ９：制御部  １０：集光レンズ  １１：集光レンズ
１２：検煙部  １３：遮光部  １４：光トラップ  １５：アパーチャ部材
１５ａ：下面部  １５ｂ：左外側面部  １５ｃ：右外側面部  １５ｄ：上面部
１５ｅ：通過口  １５ｅａ：中心位置  １５ｆ：前面  １５ｇ：後面
１６：遮光壁  １６ａ：通過口  １７：流路分岐部  １８：還流路
２０：フィルタ  ２１：エアフローセンサ  ２２：受け部  ２２ａ：底面部
２２ｂ：左内側面部  ２２ｃ：右内側面部  ２２ｄ：左側壁部
２２ｅ：右側壁部  ２２ｆ：後壁部  ２２ｇ：左支柱部  ２２ｈ：右支柱部
２３：押さえ部  ２３ａ：当接部  ２３ｂ：斜面部  ＬＢ：光  ＬＢａ：光軸
Ｌ１〜Ｌ４：長さ  ＳＡ：サンプリングエア
【図１】
2014052790.tif 000003
【図２】
2014052790.tif 000004
【図３】
2014052790.tif 000005
【図４】
2014052790.tif 000006
【図５】
2014052790.tif 000007
【図６】
2014052790.tif 000008
【図７】
2014052790.tif 000009
【図８】
2014052790.tif 000010
【図９】
2014052790.tif 000011
【図１０】
2014052790.tif 000012